(57)【要約】【課題】  歩行時に履物のソールと足の踵とを固定して、ソールからの踵の浮き上がりを防止しうる踵固定シートを提供する。【解決手段】  履物のソールの上面に貼着しうると共に、その上に載置した足の踵にも密着しうる粘着性を有して、シート状に形成されている。スチレン系熱可塑性エラストマーを素材とし、被貼着部に接着剤を介することなく貼着されるクッション部材により構成されている。上記クッション部材の表面には足の踵の裏面側に当接する多数の小突起を有する滑り止め部を有する。上記クッション部材はカバー部材で被覆された状態で包装されることにより提供される。【選択図】  図４
0003110702.tif 000002
【実用新案登録請求の範囲】
【請求項１】
履物のソールの上面に貼着しうると共に、その上に載置した足の踵にも密着しうる粘着性を有して、シート状に形成されていることを特徴とする踵固定シート。
【請求項２】
スチレン系熱可塑性エラストマーを射出成形して得られ、被貼着部に接着剤を介することなく貼着されるクッション部材により構成されていることを特徴とする請求項１記載の踵固定シート。
【請求項３】
上記クッション部材の表面には足の踵の裏面側に当接する多数の小突起を有する滑り止め部を有することを特徴とする請求項１又は２記載の踵固定シート。
【請求項４】
上記クッション部材はカバー部材で被覆された状態で包装されることにより提供されることを特徴とする請求項１〜３記載の踵固定シート。
【考案の詳細な説明】
【技術分野】
【０００１】
本考案は踵固定シートに係り、特にサンダル等履物のソールの上に足の踵を固定して、歩行時の踵の浮き上がりを防止しうる踵固定シートに関する。
【背景技術】
【０００２】
サンダル等の履物の場合、足の前方の甲はベルト状のアッパーにより押え止めされるが、足の後部の踵を固定する部材が設けられていないことから、歩行時の弾みで踵がソールから離れて浮き上がることが多い。
【０００３】
そして、歩行時に踵がソールから浮き上がると、離れたソールが反動で踵に当たり、そのときに「パタパタ」という打擲音が発生して騒々しい、という不具合がある。
【０００４】
また、踵がソールから浮き上がると、つま先が後方へ若干移動するので足の甲からアッパーも外れやすくなり、安易に脱げてしまうという不具合があり、又、踵とソールの間に異物が入り込んで歩行時に違和感が生じるという不具合がある。
【０００５】
本出願人は上記の不具合を解消しうる用具について調査したが、関連する先行技術文献を見出すことはできなかった。
【考案の開示】
【考案が解決しようとする課題】
【０００６】
そこで本考案の課題は、歩行時に履物のソールと足の踵とを固定して、ソールからの踵の浮き上がりを防止しうる踵固定シートを提供することにある。
【課題を解決するための手段】
【０００７】
上記課題を解決するために、請求項１記載の本考案に係る踵固定シートは、履物のソールの上面に貼着しうると共に、その上に載置した足の踵にも密着しうる粘着性を有して、シート状に形成されていることを特徴とする。
【０００８】
即ち、請求項１記載の本考案に係る踵固定シートにあっては、両面部がそれぞれ粘着性を有することから、その一面を履物のソールの上面に貼着することができると共に、他方の面を足の踵の裏に接着させることができ、これにより、当該踵固定シートを介して足の踵をソールに対し固定することができる。従って、歩行時のソールからの踵の浮き上がりを防止することができる。
【０００９】
また、請求項２記載の本考案に係る踵固定シートは、スチレン系熱可塑性エラストマーを射出成形して得られ、被貼着部に接着剤を介することなく貼着されるクッション部材により構成されていることを特徴とする。
【００１０】
即ち、請求項２記載の本考案に係る踵固定シートにあっては、スチレン系熱可塑性エラストマーにより上記クッション部材が形成されることから、当該クッション部材は自己粘着性を有し、接着剤を使用せずともソールや足の踵等の被貼着部に対し貼着若しくは接着することができる。
【００１１】
また、請求項３記載の本考案に係る踵固定シートは、上記クッション部材の表面には足の踵の裏面側に当接する多数の小突起を有する滑り止め部を有することを特徴とする。
【００１２】
即ち、請求項３記載の本考案に係る踵固定シートにあっては、上記クッション部材の表面に形成された多数の小突起により表面が凹凸状の滑り止め部が設けられていることから、同滑り止め部に接触する足の踵が滑りにくくなり、足の踵と当該踵固定シートとの接触状態が安定的に維持されるものである。
【００１３】
また、請求項４記載の本考案に係る踵固定シートは、上記クッション部材はカバー部材で被覆された状態で包装されることにより提供されることを特徴とする。
【００１４】
即ち、請求項４記載の本考案に係る踵固定シートにあっては、不使用時に上記クッション部材の表面がカバー部材により被覆されることから、クッション部材の表面が汚れたり乾燥するのが防止され、これにより表面の粘着性が劣化せず良好に維持されるものである。
【考案の効果】
【００１５】
請求項１記載の本考案に係る踵固定シートは、履物のソールの上面に貼着しうると共に、その上に載置した足の踵にも密着しうる粘着性を有して、シート状に形成されていることから、履物のソールの上面に貼着して、その上に足の踵を載せることにより、履物のソールと足の踵とを固定して、歩行時にソールからの踵の浮き上がりを防止することができる。
従って、歩行時に踵がソールから浮き上がらないので、「パタパタ」という打擲音が発生せず、また、足の甲からアッパーも外れにくくなって安易に脱げなくなり、また、踵とインソールの間に異物が入り込んで歩行時に違和感が生じることもない。
【００１６】
また、請求項２記載の本考案に係る踵固定シートは、スチレン系熱可塑性エラストマーを射出成形して得られ、被貼着部に接着剤を介することなく貼着され、自己粘着性を有することから、別個の粘着剤を両面に塗布したり、粘着剤を内部に含浸させたりして粘着性を付与する必要がないので、構造がシンプルで容易に成形することができ、安価で提供することができる。
また、上記踵固定シートはクッション部材により構成されていることから、足の踵を載せた場合の、足の踵に対する触感がソフトで使用感が良好であると共に、着地時の衝撃を緩和して踵を保護することができ、さらに、ソフトで柔軟性を有することから踵の凹凸に対応して変形し、踵に密着させることができる。
【００１７】
また、請求項３記載の本考案に係る踵固定シートは、上記クッション部材の表面には足の踵の裏面側に当接する多数の小突起を有する滑り止め部を有することから、足の踵を載せた場合に足が動きにくくなって踵の位置が安定し、位置ずれが防止されるため、足の踵と当該踵固定シートとの接触状態が安定的に維持され、踵の固定効果が顕著となる。
【００１８】
また、請求項４記載の本考案に係る踵固定シートは、上記クッション部材はカバー部材で被覆された状態で包装されることにより提供されることから、使用前に上記クッション部材の表面が乾燥して粘着性能が劣化するのを防止することができる。
【考案を実施するための最良の形態】
【００１９】
以下、図面を用いて本考案の実施の形態について説明する。
本実施の形態に係る踵固定シート１１は、図３に示すように、履物１２のソール１３の上面に貼着しうると共に、図４に示すように、その上に載置した足１４の踵１５にも密着しうる粘着性を有して、図１及び図２に示すように、シート状に形成されている。
また、上記踵固定シート１１は、スチレン系熱可塑性エラストマー１６を射出成形して得られ、図１及び図２に示すように、被貼着部に接着剤を介することなく貼着されるクッション部材１７により構成されている。
また、図１及び図２に示すように、上記クッション部材１７の表面には足１４の踵１５の裏面側に当接する多数の小突起１８を有する滑り止め部１９を有している。
また、上記クッション部材１７は、図１に示すように、カバー部材２０で被覆された状態で包装されることにより提供されるように構成されている。
【実施例１】
【００２０】
本実施例に係る踵固定シート１１は、図１に示すように、長円の一端部が切欠かれた平面形状を有し、厚さ寸法が約４〜５ミリ程度のシート状に形成されている。
【００２１】
上記踵固定シート１１は、スチレン系熱可塑性エラストマー１６を射出成形して得られたクッション部材１７により構成されている。
【００２２】
上記スチレン系熱可塑性エラストマー１６を素材として形成された上記クッション部材１７は両面部に粘着性を有している。
なお、この粘着性は自己粘着性で、外部から特に粘着材を塗布したり含浸させたりせずとも、自ずから粘着性を発揮することができる特性を備えている。
【００２３】
従って、上記クッション部材１７は、図３に示すように、その下面部を履物１２のソール１３の上面に貼着することができる。
【００２４】
上記クッション部材１７により構成される上記踵固定シート１１を貼着する履物１２は、図３及び図４に示すように、足１４の前側部位の甲２１を押え止めするアッパー２２を備えるが、足１４の後部の踵１５は開放していて、ヒール２４の高いサンダル２３のような構造のものが好ましい。
このような構造の履物１２は、歩行時の弾みで踵１５がソール１３から離れて浮き上がることが多く、そのときに、離れたソール１３が反動で踵１５に当たり、「パタパタ」という打擲音が発生して騒々しいという不具合があるので、踵１５をソール１３に固定する必要性が大きいからである。
【００２５】
従って、上記踵固定シート１１は、図３及び図４に示すように、ソール１３の後端部で足１４の踵１５を載せる部位に貼着されるものである。
【００２６】
上記クッション部材１７は上面部も粘着性を有するので、足１４の踵１５の裏にも接着することになる。従って、足１４の踵１５の裏は上記クッション部材１７を介してソール１３に固定されることになる。
【００２７】
なお、上記クッション部材１７の上記粘着性は、劣化しにくく、剥離と貼着を繰り返しても粘着性が喪失されにくく、耐久性を有している。
従って、ある程度、長時間連続して使用することができるが、汚れた場合は粘着性の劣化がある程度避けられない。
その場合は、上記クッション部材１７の表面を水洗いすることにより粘着性を回復させることができる。
【００２８】
上記クッション部材１７の表面には、図１及び図２に示すように、多数の小突起１８が形成されて滑り止め部１９が構成されている。
【００２９】
上記小突起１８は滑り止め効果ばかりではなく、足裏に対する接触面積を小さくしてクッション部材１７が過度に足裏に接着しないようにしている。
これにより、サンダル２３を脱ぐ場合に、クッション部材１７から足裏を容易に離脱させることができる。
【００３０】
上記踵固定シート１１は、図１に示すように、上下両面が合成樹脂フィルム製又は紙製のカバー部材２０により被覆された状態で包装されて出荷され販売される。
即ち、上記クッション部材１７の粘着性により取り扱いが煩雑となる事態を回避するためである。
【００３１】
以下、上記実施例の作用について説明する。
本実施例に係る上記踵固定シート１１は、図３に示すように、履物１２のソール１３の上面に貼着しうると共に、図４に示すように、その上に載置した足１４の踵１５にも密着しうる粘着性を有して、図１及び図２に示すように、シート状に形成されているので、当該踵固定シート１１をサンダル２３等の履物１２のソール１３上に貼り、その上に足１４の踵１５を載せて密着させることにより、当該踵固定シート１１を介して足１４の踵１５をソール１３に対し固定することができ、これにより歩行時に足１４の踵１５がサンダル２３のソール１３から浮き上がるのを防止することができる。
【００３２】
また、上記踵固定シート１１は、スチレン系熱可塑性エラストマー１６を射出成形して得られ自己粘着性を有するので、接着剤を使用せずに貼着させることができる。従って、ソール１３に貼着して使用する場合の煩雑さがない。
また、弾力性を有するクッション部材１７により構成されているので、歩行時に踵１５にかかる衝撃を吸収して踵１５を保護することができる。
【００３３】
また、図１及び図２に示すように、上記クッション部材１７の表面には足１４の踵１５の裏面側に当接する多数の小突起１８を有する滑り止め部１９を有していることから、足１４の踵１５が上記クッション部材１７から安易に離れて位置ずれしないので、足１４の踵１５とクッション部材１７の接触状態を安定的に維持することができ、歩行時に足１４の踵１５がクッション部材１７から離れて効果が損なわれるのを防止することができる。
【００３４】
また、上記クッション部材１７は、図１に示すように、カバー部材２０で被覆された状態で包装されることにより提供されることから、使用前の保管時や搬送時に、上記クッション部材１７の表面が汚れや乾燥により粘着性を劣化させるのを防止することができる。
【産業上の利用可能性】
【００３５】
本考案は、履物のソールに足の踵を固定するための用具に適用可能である。
【図面の簡単な説明】
【００３６】
【図１】本考案に係る踵固定シートの一実施例に係る踵固定シートの斜視図である。
【図２】同様に実施例に係る踵固定シートの断面図である。
【図３】同様に実施例に係る踵固定シートをサンダルのソールに貼着した状態を示す平面図である。
【図４】同様に実施例に係る踵固定シートをサンダルのソールに貼着して足の踵を固定した状態を示す側面図である。
【符号の説明】
【００３７】
１１  踵固定シート
１２  履物
１３  ソール
１４  足
１５  踵
１６  スチレン系熱可塑性エラストマー
１７  クッション部材
１８  小突起
１９  滑り止め部
２０  カバー部材
２１  甲
２２  アッパー
２３  サンダル
２４  ヒール
【図１】
0003110702.tif 000003
【図２】
0003110702.tif 000004
【図３】
0003110702.tif 000005
【図４】
0003110702.tif 000006